(57)【要約】【課題】  簡易な工法により製造可能であって、さらには、建築の際の簡単な施工を可能とし、一定の面内剛性を備えるとともに、建築目的に応じて任意のサイズに簡単に変更可能な建築ユニットを提供する。【解決手段】  建築パネル１は、厚さ１ｍｍ程度の鋼板等を折り曲げて、一方向に複数の凸条２を互いに平行に形成した波型の薄板であり、建築の床材として使用することができるようになっている。また、この建築パネル１に略一定間隔で形成された複数の凸条２間には、さらに凸条３が、凸条２と同方向に形成される。【選択図】        図１
2006342515.tif 000002
【特許請求の範囲】
【請求項１】
一定の剛性を有する板状の素材が折り曲げられて、互いに平行な複数の凸条が形成されている床材パネルからなることを特徴とする建築ユニット。
【請求項２】
前記床材パネルの複数の凸条間に、該凸条に平行で該凸条より低い他の凸条がさらに形成されることを特徴とする請求項１記載の建築ユニット。
【請求項３】
互いの一端が重ねられ前記凸条に沿って摺動可能な前記床材パネルを、固定部材で固定してなることを特徴とする請求項１または２記載の建築ユニット。
【請求項４】
前記固定部材は、ブリッジ形状であり、該ブリッジ形状の端部が、前記重ねられた床材パネルに固定されることを特徴とする請求項３記載の建築ユニット。
【請求項５】
前記固定部材は、板状の端部が互いに直交してなるＬ字型形状であり、該端部の１つが、前記重ねられた床材パネルに固定されることを特徴とする請求項３記載の建築ユニット。
【請求項６】
前記建築ユニットの前記固定部材が固定されている側にコンクリートを打設することを特徴とする請求項３から５のいずれか１項に記載の建築ユニット。
【請求項７】
前記建築ユニットは、前記重ねられた床材パネルを載置して一定の高さに保持するための載置台をさらに有し、
前記載置台は、前記床材パネルにおける凸条による波型断面側の一方が下側となるように直立させ、前記波型断面側の他方である上面側に、略コの字状のキャップを被嵌し、該被嵌したキャップ上に前記床材パネルを載置するための部材を備えたことを特徴とする請求項１から６のいずれか１項に記載の建築ユニット。
【発明の詳細な説明】
【技術分野】
【０００１】
本発明は、建築ユニットに関するものであり、特に、一定の剛性を備えたパネルを折り曲げて形成する建築パネルを用いた建築ユニットに関する。
【背景技術】
【０００２】
従来から、建築の分野では、一定のサイズの建築用パネルを予め工場で製造しておき、建築工事の際に、この建築用パネルを組み合わせたり、切断したりして、家屋等の建設を行う工法が広く用いられている。このように建築用パネルを用いる工法は、木材や鉄骨等を切断し、長さを切りそろえたりする工法に比べて、作業内容の簡略化を実現し、その作業効率を大幅に向上させている。この建築用パネルは、家屋等の壁や床、天井等、様々な場所で用いられ、その使用目的に応じて、強度、耐久性、断熱性等の様々な特性が要求される。
これらの建築用パネルのうち、家屋等の床に用いられるものは、その構造上、大きな負荷がかかるため、特に高い耐強度が望まれる。
例えば、特許文献１に開示される床パネル（以下、単に床パネルという）は、このような要求に応じて、床面における高い耐強度を実現したものであり、一方の折板の折曲線と、他方の折板の折曲線とが互いに直交するように、これら折板を上下に重ね合わせて固着し、これら固着した折板の隙間に廃材を充填することにより、高い面内剛性を備えたものである。
【特許文献１】特開２０００−８７４８８
【発明の開示】
【発明が解決しようとする課題】
【０００３】
しかしながら、前述の床パネルには、以下に述べるような問題が生じる。
前述したように、床パネルは、２枚の折板を重ね合わせて固着し、隙間に廃材を充填することにより、一定の強度を備えたものであるが、このように煩雑な製造工程を経なければならず、製造の手間や時間、コスト等の面で大きな問題が生じてしまう。
また、その床パネルは、構造上、サイズ調整をする際、金属製の折板を切断する等の面倒な作業が必要であり、様々なサイズの要求に容易に応えられないといった問題も生じる。
【０００４】
本発明は、上記問題点に鑑みてなされたものであり、簡易な工法により製造可能であって、さらには、建築の際の簡単な施工を可能とし、一定の面内剛性を備えるとともに、建築目的に応じて任意のサイズに簡単に変更可能な建築ユニットを提供することを目的とする。
【課題を解決するための手段】
【０００５】
かかる目的を達成するため、本発明における建築ユニットは、一定の剛性を有する板状の素材が折り曲げられて、互いに平行な複数の凸条が形成されている床材パネルからなることを特徴とする。
【０００６】
また、本発明における建築ユニットは、床材パネルの複数の凸条間に、凸条に平行で凸条より低い他の凸条がさらに形成されることを特徴とする。
【０００７】
また、本発明における建築ユニットは、互いの一端が重ねられ凸条に沿って摺動可能な床材パネルを、固定部材で固定してなることを特徴とする。
【０００８】
また、本発明における固定部材は、ブリッジ形状であり、ブリッジ形状の端部が、重ねられた床材パネルに固定されることを特徴とする。
【０００９】
また、本発明における固定部材は、板状の端部が互いに直交してなるＬ字型形状であり、端部の１つが、重ねられた床材パネルに固定されることを特徴とする。
【００１０】
また、本発明によれば、建築ユニットの固定部材が固定されている側にコンクリートを打設することを特徴とする。
【００１１】
また、本発明における建築ユニットは、重ねられた床材パネルを載置して一定の高さに保持するための載置台をさらに有し、載置台は、床材パネルにおける凸条による波型断面側の一方が下側となるように直立させ、波型断面側の他方である上面側に、略コの字状のキャップを被嵌し、被嵌したキャップ上に床材パネルを載置するための部材を備えたことを特徴とする。
【発明の効果】
【００１２】
本発明は、一定の剛性を有する板状の素材を折り曲げて、互いに平行な複数の凸条を形成した床材パネルからなるので、簡易な工法により製造可能であって、さらには、建築の際の簡単な施工を可能とし、一定の面内剛性を備えるとともに、重ね合わせることで建築目的に応じて任意のサイズに簡単に変更することができる。
【発明を実施するための最良の形態】
【００１３】
（１）建築ユニットの基本構造
図１は、本発明の実施の形態における建築パネル１の外観を示す図である。
この建築パネル１は、厚さ０・３〜１．０ｍｍ程度の鋼板等を折り曲げて、一方向に複数の凸条２を互いに平行に形成した波型の薄板であり、建築の床材として使用することができるようになっている。
このように凸条２を形成することにより、面方向の荷重及び凸条２の形成方向からの荷重に対する高い耐強度を保証することができる。なお、建築物の設計上、この建築パネル１上の面が、ある基準となる面と平行であることが望まれる場合が多いことから、この複数の凸条２は、同一の高さであることが好ましい。
また、図に示すように、この建築パネル１に略一定間隔で形成された複数の凸条２間には、さらに凸条３が、凸条２と同方向に形成される。この凸条３を形成したことにより、建築パネル１の面方向の強度をさらに補強するようになっている。なお、この凸条３は、その高さに多少のバラツキがあっても、前述した設計上の問題が生じないように、その高さを凸条２より低く形成することが好ましい。
【００１４】
また、各建築パネル１に形成された凸条２，３のそれぞれの形状は同一であり、建築パネル１同士を重ね合わせたとき、隙間が生じないようになっている。
図２は、このように、建築パネル１ａの上に、建築パネル１ｂを重ね合わせたときの建築ユニットの外観を示す図である。
図に示すように、凸条２，３に沿うように、建築パネル１ａ，１ｂを重ね合わせることで、建築パネル１ａの凸条２，３がレールのごとく機能し、凸条２，３の方向に沿って平行移動させることができる。このことにより、建築目的に建築パネル１のサイズが合わない場合であっても、建築パネル１ａ，１ｂ同士を重ね合わせて、凸条２，３方向に摺動させることにより、建築パネル１の長さを建築目的に応じて任意の長さに容易に調節することができる。
【００１５】
また、このように、重ね合わせ、任意の長さに調整した建築パネル１ａ，１ｂに、固定部材１０を固着し、建築パネル１ａ，１ｂ同士を固定することができる。
図３は、その建築パネル１ａ，１ｂ同士を固定するための固定部材１０の外観の一例を示す図である。
図に示すように、この固定部材１０は、一定の剛性を有した鋼製等のブリッジ形状の部材である。このブリッジ形状の両端部１１は、互いに平行に形成されている。
【００１６】
図４は、この固定部材１０を、建築パネル１ａ，１ｂ上に固着したときの建築ユニットの外観を示す図である。
図に示すように、建築パネル１ａ，１ｂの一部を互いに重ね合わせ、固定部材１０の端部１１を建築パネル１ａ，１ｂ上に載置し、その両端部１１上から各建築パネル１ａ，１ｂを貫通するようにビス２０を打設する等して、建築パネル１ａ，１ｂ同士を固定する。このように、建築パネル１を複数枚重ね合わせて固定することにより、使用目的ごとに様々な長さの建築パネル１を用意することなく、その使用目的に応じた任意の長さの建築パネル１を容易に提供することが可能となる。
【００１７】
図５は、図４に示す、固定部材１０を建築パネル１ａ，１ｂ上に固着したときの建築ユニットの断面図である。
図には、建築パネル１ａの一部に建築パネル１ｂの一部を重ね合わせ、固定部材１０の端部１１の１つを、重ね合わせていない建築パネル１ａ上に載置し、固定部材１０のもう１つの端部１１を、建築パネル１ａに重ね合わせた建築パネル１ｂ上に載置して、各端部１１上から建築パネル１ａ，１ｂを貫通するようにビス２０等を打設する。
また、固定部材１０に一定の可撓性を持たせることによって、建築パネル１の薄板の厚さに起因する、建築パネル１ａ，１ｂを重ね合わせたときに生じるある程度の段差にも柔軟に対応することができるようになる。また、その重ね合わせたときの段差を予め計算しておき、両端部１１の取り付け位置に予め高低差を設けておくようにしてもよい。
【００１８】
（２）コンクリート打設時の建築ユニット
また、使用用途に応じて、建築パネル１ａ，１ｂ上にコンクリートを打設することができる。このとき、前述したように、建築パネル１ａ，１ｂにおいては、凸条２，３により構造的に上面からの荷重に対する耐強度を強化しているとともに、建築パネル１ａ，１ｂを固定部材１０により固定しているので、このようなコンクリートの重さに対しても十分に耐え得ることが可能となっている。
図６は、この建築パネル１ａ，１ｂ上にコンクリートを打設したときの断面を示す図である。
このように、コンクリートを打設したとき、ブリッジ形状の固定部材１０の把手部分が、コンクリート固化後にコンクリート中に埋設されるので、コンクリートと建築パネル１ａ，１ｂとを互いに強固に固定することが可能となる。
【００１９】
（３）断熱材敷設時の建築ユニット
また、他の利用例として、建築パネル１ａ，１ｂ上に断熱材４０を敷設し、その上にさらにコンクリートを打設することもできる。
図７は、この断熱材４０敷設時に用いる固定部材５０の外観を示す図である。
図に示すように、この固定部材５０は、ビス２０が打設される端部５１に対して端部５２が垂直に設けられたＬ字型形状をなしている。
【００２０】
図８は、その建築パネル１ａ，１ｂ上に断熱材４０を敷設し、その上にさらにコンクリートを打設したときの断面を示す図である。
図に示すように、端部５１を、建築パネル１ａに重ね合わせた建築パネル１ｂ上に載置して、この端部５１上から建築パネル１ａ，１ｂを貫通するようにビス２０を打設することで、建築パネル１ａ，１ｂ同士の位置を固定する。その他、建築パネル１ａ，１ｂが重ね合っていない箇所にも適宜端部５１を載置し、ビス２０を打設する。
【００２１】
固定部材５０が建築パネル１ａ，１ｂ上に固定された後、ピット内からの冷気や熱気の伝達を抑制するために、断熱材４０をその建築パネル１ａ，１ｂ上に敷設する。このとき、端部５２の先端が断熱材４０を貫通して突出するように、端部５２の長さ（固定部材５０の高さ）は、断熱材４０の厚さ（垂直方向の幅）よりも長くする。
このとき、断熱材４０に切り込みを入れると、端部５２が断熱材４０を容易に貫通するようにすることができる。また、複数の断熱材４０を建築パネル１ａ，１ｂ上に敷設するとき、その断熱材４０の端がその固定部材５０の端部５２の突出位置となるようにすることで断熱材４０に特殊な加工をする必要がなくなる。
【００２２】
さらに、この断熱材４０上にコンクリートを打設する。このとき、固定部材５０の端部５２の先端がコンクリート固化後にコンクリート中に埋設されるので、コンクリートと建築パネル１ａ，１ｂとを互いに強固に固定することが可能となる。
【００２３】
以上説明したように、建築パネル１ａ，１ｂ上に断熱材４０等の建設用部材を設ける場合には、Ｌ字型の固定部材５０で建築パネル１ａ，１ｂを固定することにより、その後に敷設する断熱材４０に対して面倒な加工を施すことなく容易に施工を行うことが可能となる。
【００２４】
（４）載置台の利用時の建築ユニット
次に、図４，５に示したような建築ユニットを、所定の高さにおいて、床材として使用するときについて説明する。
図９は、１組の載置台３０上に建築パネル１を載置したときの建築ユニットの外観を示す図である。また、図１０は、その建築パネル１を載置台３０上に載置したときの断面図である。
図に示すように、重ね合わせて互いに固定した建築パネル１ａ，１ｂの両端を、それぞれ載置台３０上に載置することにより、建築パネル１を一定の高さにおいて床材として使用することができる。
【００２５】
以下、前述の載置台３０について詳細に説明する。
図１１は、その載置台３０の外観を示す図である。また、図１２は、その載置台３０を各部位に分解した図である。
ここで、図を用いて、載置台３０の製造工程について説明する。
図に示すように、前記床材パネルにおける凸条による波型断面側の一方が下側となるように、すなわち凸条方向とグラウンドとが垂直になるように建築パネル１ｃを直立させ、
その上面側（凸条の波型断面側の他方）に、一定の剛性を有する鋼板等を折り曲げて形成された略コの字状のキャップ３１を被嵌する。なお、この建築パネル１ｃの厚さ（凸条２の高さ）とキャップ３１の内側の厚さとは略同一であり、建築パネル１ｃとキャップ３１とが互いに緊合し固定されるようになっていることが好ましい。
この建築パネル１ｃに被嵌したキャップ３１上にＬ字部材３２を載置し、ビス３３をＬ字部材上からキャップ３１を貫通するように数箇所打設してＬ字部材３２をキャップ３１に固定する。
以上のように組み立てることで、載置台３０が完成する。
このように、凸条２，３により一定の耐強度を備えた建築パネル１ｃにおける、凸条２，３による波型の形成面側にキャップ３１を被嵌し、このキャップ３１上にＬ字部材３２をビス３３等で固定することにより、載置台３０が形成されるので、載置台３０上に載置された建築パネル１の上面からの荷重に対して、高い耐強度を備えるようになっている。
また、床材として使用する建築パネル１を床面に対して垂直に直立させ、キャップ３１、Ｌ字部材３２及びビス３３といった簡易な部材を使って載置台３０を組み立てることにより、建築パネル１ａ，１ｂを一定の高さに容易に保持することができるようになる。
【００２６】
なお、本実施の形態では、建築パネル１ｃをグラウンドと垂直に立てて載置台３０を組み立てていたが、この建築パネル１ｃの代わりに一般的な木製の合板型枠（いわゆるコンパネ材）を用いてもよい。このとき、この合板型枠をグラウンドに垂直に立てて、同様にこの合板型枠の上面にＬ字部材３２を載置し、釘やビス３３を打ちつけて固定することで、載置台３０を組み立てる。
【００２７】
（５）建築ユニットの施工例
次に、前述した建築ユニットの実際の施工例について説明する。
図１３は、この建築ユニットの施工例を示す図である。
図に示す例では、例えばパイプサポート等で、建築パネル１ａ，１ｂの下方に打設済みのコンクリート等から一定の高さに支持されている互いに略平行な大引き６０上に、この大引き６０と略直交するように、根太７０を一定間隔で互いに略平行に敷設する。その一定間隔に並べられた根太７０上に、建築パネル１を互いの端部が重なるように敷設していく。このとき、建築パネル１の重なり部分に根太７０の下地がくるようにすることで床面方からの荷重に対する耐強度を強化することができる。
また、図に示すように、根太７０の両端には、載置台３０のＬ字部材３２が根太７０と等しい高さに支持されており、建築パネル１の端部が載置できるようになっている。
そして、建築パネル１を根太７０及び載置台３０上に載置すると、前述したような固定部材１０又は５０で、建築パネル１同士を固定する。
その後、用途に応じて、前述したように、コンクリートを打設したり、断熱材４０を敷設したりして、建築物の床部分の施工が完了する。
【００２８】
（６）実施の形態のまとめ
以上説明したように、本実施の形態によれば、建築パネル１は、一定の剛性を備えた鋼製の薄板を折り曲げて、波型の凸条２，３を形成したので、パネル上面からの荷重に対して、建築の際の床材として使用するために十分な耐強度が保証できる。
また、複数の建築パネル１ａ，１ｂを重ね合わせ、凸条２，３に沿って摺動させることにより、任意の長さの床材を容易に形成することができる。また、この重ね合わせた建築パネル１ａ，１ｂを固定部材１０で固定することで、建築パネル１ａ，１ｂのズレを防止することができる。また、この建築パネル１ａ，１ｂ上にコンクリートを打設したとき、この固定部材１０の把手形状部分が固化後のコンクリート中に埋設されるので、建築パネル１ａ，１ｂとコンクリートとの分離を防止することが可能となる。
また、建築パネル１ｃに簡易な部材を組み合わせることで、一定以上の荷重に耐え得る載置台３０を製造でき、この載置台３０を用いて、建築パネル１ａ，１ｂを所定の高さに容易に載置することができるようになる。
【００２９】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００３０】
【図１】本発明の実施の形態における建築パネルの外観を示す図である。
【図２】本発明の実施の形態において、建築パネルを重ね合わせたときの建築ユニットの外観を示す図である。
【図３】本発明の実施の形態における固定部材の外観の一例を示す図である。
【図４】本発明の実施の形態において、固定部材を建築パネル上に固着したときの建築ユニットの外観を示す図である。
【図５】本発明の実施の形態において、固定部材を建築パネル上に固着したときの建築ユニットの断面図である。
【図６】本発明の実施の形態において、建築パネル上にコンクリートを打設したときの建築ユニットの断面を示す図である。
【図７】断熱材敷設時に用いる固定部材の外観を示す図である。
【図８】建築パネル上に断熱材を敷設し、その上にさらにコンクリートを打設したときの断面を示す図である。
【図９】本発明の実施の形態において、載置台上に建築パネルを載置したときの建築ユニットの外観を示す図である。
【図１０】本発明の実施の形態において、建築パネルを載置台上に載置したときの建築ユニットの断面図である。
【図１１】本発明の実施の形態における載置台３０の外観を示す図である。
【図１２】本発明の実施の形態における載置台３０を各部位に分解した図である。
【図１３】本発明の実施の形態における建築ユニットの施工例を示す図である。
【符号の説明】
【００３１】
１，１ａ〜１ｃ    建築パネル
２，３    凸条
１０，５０    固定部材
２０，３３    ビス
３０    載置台
３１    キャップ
３２    Ｌ型部材
４０    断熱材
５１，５２    端部
６０    大引き
７０    根太
【図１】
2006342515.tif 000003
【図２】
2006342515.tif 000004
【図３】
2006342515.tif 000005
【図４】
2006342515.tif 000006
【図５】
2006342515.tif 000007
【図６】
2006342515.tif 000008
【図７】
2006342515.tif 000009
【図８】
2006342515.tif 000010
【図９】
2006342515.tif 000011
【図１０】
2006342515.tif 000012
【図１１】
2006342515.tif 000013
【図１２】
2006342515.tif 000014
【図１３】
2006342515.tif 000015